(57)【要約】  情報表示装置は、姿勢検出部が検出した姿勢の状態の変化量を算出する姿勢変化量算出部と、前記姿勢変化量算出部が算出した情報表示装置の姿勢の状態の変化量がしきい値以上であるか否かを判定する姿勢変化量判定部と、情報表示装置の姿勢の状態の変化量がしきい値以上であると前記姿勢変化量判定部が判定した場合に、前記撮像部を起動させる撮像部制御部と、前記撮像部が撮像して得られた画像に写っている人の顔を検出する顔検出部と、前記顔検出部が検出した人の顔の上下の向きを特定する顔方向特定部と、表示部に表示されている画面表示の上下の向きと、前記顔方向特定部が特定した人の顔の上下の向きとが同じ向きであるか否かを判定する表示方向判定部と、前記表示部に表示されている画面表示の上下の向きと、人の顔の上下の向きとが同じ向きではないと前記表示方向判定部が判定した場合に、表示部に表示されている画面表示の上下の向きを、人の顔の上下の向きと同じ向きに切替える表示方向切替部とを備える。
2012144526.tif 000002
【特許請求の範囲】
【請求項１】
姿勢検出部が検出した姿勢の状態の変化量を算出する姿勢変化量算出部と、
前記姿勢変化量算出部が算出した情報表示装置の姿勢の状態の変化量がしきい値以上であるか否かを判定する姿勢変化量判定部と、
情報表示装置の姿勢の状態の変化量がしきい値以上であると前記姿勢変化量判定部が判定した場合に、前記撮像部を起動させる撮像部制御部と、
前記撮像部が撮像して得られた画像に写っている人の顔を検出する顔検出部と、
前記顔検出部が検出した人の顔の上下の向きを特定する顔方向特定部と、
表示部に表示されている画面表示の上下の向きと、前記顔方向特定部が特定した人の顔の上下の向きとが同じ向きであるか否かを判定する表示方向判定部と、
前記表示部に表示されている画面表示の上下の向きと、人の顔の上下の向きとが同じ向きではないと前記表示方向判定部が判定した場合に、表示部に表示されている画面表示の上下の向きを、人の顔の上下の向きと同じ向きに切替える表示方向切替部と
を備える情報表示装置。
【請求項２】
前記姿勢変化量判定部は、前記姿勢変化量算出部が算出した姿勢の状態の変化量がしきい値以上となった後に、前記変化量の推移が所定の範囲以下となった場合に、前記姿勢変化量算出部が算出した姿勢の状態の変化量がしきい値以上であると判定する
請求項１に記載の情報表示装置。
【請求項３】
姿勢検出部が検出した姿勢の状態の変化量を算出する段階と、
前記算出する段階において算出された情報表示装置の姿勢の状態の変化量がしきい値以上であるか否かを判定する段階と、
情報表示装置の姿勢の状態の変化量がしきい値以上であると前記姿勢の変化量を判定する段階において判定された場合に、前記撮像部を起動させる段階と、
前記撮像部が撮像して得られた画像に写っている人の顔を検出する段階と、
前記検出する段階において検出された人の顔の上下の向きを特定する段階と、
表示部に表示されている画面表示の上下の向きと、前記特定する段階において特定された人の顔の上下の向きとが同じ向きであるか否かを判定する段階と、
前記表示部に表示されている画面表示の上下の向きと、人の顔の上下の向きとが同じ向きではないと前記表示方向を判定する段階において判定された場合に、表示部に表示されている画面表示の上下の向きを、人の顔の上下の向きと同じ向きに切替える段階と
を備える制御方法。
【請求項４】
情報表示装置を、
姿勢検出部が検出した姿勢の状態の変化量を算出する姿勢変化量算出部と、
前記姿勢変化量算出部が算出した情報表示装置の姿勢の状態の変化量がしきい値以上であるか否かを判定する姿勢変化量判定部と、
情報表示装置の姿勢の状態の変化量がしきい値以上であると前記姿勢変化量判定部が判定した場合に、前記撮像部を起動させる撮像部制御部と、
前記撮像部が撮像して得られた画像に写っている人の顔を検出する顔検出部と、
前記顔検出部が検出した人の顔の上下の向きを特定する顔方向特定部と、
表示部に表示されている画面表示の上下の向きと、前記顔方向特定部が特定した人の顔の上下の向きとが同じ向きであるか否かを判定する表示方向判定部と、
前記表示部に表示されている画面表示の上下の向きと、人の顔の上下の向きとが同じ向きではないと前記表示方向判定部が判定した場合に、表示部に表示されている画面表示の上下の向きを、人の顔の上下の向きと同じ向きに切替える表示方向切替部
として機能させるプログラム。
【発明の詳細な説明】
【技術分野】
【０００１】
本発明は、情報表示装置、制御方法、及びプログラムに関する。特に、本発明は、人の顔の向きに応じて、情報の画面表示の向きを切替えて表示する情報表示装置、その情報表示装置を制御する制御方法、並びにその情報表示装置用のプログラムに関する。
【背景技術】
【０００２】
スマートフォンは、Ｗｅｂサイトや写真、ドキュメント等の様々なコンテンツを表示することができる。このようなコンテンツは、その形状や情報量によって、縦長に表示した方が閲覧し易いコンテンツと、横長に表示した方が閲覧し易いコンテンツとに分けられる。例えば、長文の文章が書かれたＷｅｂサイトは、長方形のディスプレイの長辺方向を上下方向として表示する場合、ディスプレイの横幅に収まる文字数が少ないため、上下方向のスクロール幅が大きくなってしまう。そこで、長文の文章が書かれたＷｅｂサイトを表示する場合は、フォントサイズを小さくすれば、ディスプレイの横幅に収まる文字数が増えるため、上下方向のスクロールが短くなる。しかしながら、このようにフォントを小さくする手法は、視認性を犠牲にすることになる。【０００３】
多くのスマートフォンは、上述したような問題に対処するため、ディスプレイに表示される画面表示の向きを、スマートフォン本体の上下の向きと同じ向きに切替えるようにしている。一般に、スマートフォン本体の上下の向きは、加速度センサーによって検出された重力加速度の向きによって特定される。【０００４】
図４から図８は、関連技術のスマートフォン９００の使用状態の一例を示す。図４は、スマートフォン９００の長方形のディスプレイ９４０の長辺方向を上下方向として視認しようとして、ユーザＵがスマートフォン９００を把持している様子を示している。図４の吹き出しの中に示されているスマートフォン９００は、ユーザがディスプレイ９４０を視認している方向から視た状態である。この例の場合、スマートフォン９００は、ディスプレイ９４０の長辺方向の向きとほぼ同じ向きに、重力加速度Ｇを受ける。したがって、スマートフォン９００は、ディスプレイ９４０の長辺方向Ｈ１を上下方向として画面表示を行う。【０００５】
図５は、スマートフォン９００の長方形のディスプレイ９４０の短辺方向を上下方向として視認しようとして、ユーザＵがスマートフォン９００を把持している様子を示している。図５の吹き出しの中に示されているスマートフォン９００は、ユーザがディスプレイ９４０を視認している方向から視た状態である。この例の場合、スマートフォン９００は、ディスプレイ９４０の短辺方向の向きとほぼ同じ向きに、重力加速度Ｇを受ける。したがって、スマートフォン９００は、ディスプレイ９４０の短辺方向を上下方向として画面表示を行う。即ち、スマートフォン９００は、図４に示すような状態から図５に示すような状態に持ち方を変えられた場合、ディスプレイ９４０の長辺方向Ｈ１を上下方向とした画面表示から、ディスプレイ９４０の短辺方向Ｈ２を上下方向とした画面表示に画面表示の向きを切替えることになる。【０００６】
図６は、ユーザＵがスマートフォン９００を把持した状態で寝転がっている様子を示している。この例の場合、スマートフォン９００は、ディスプレイ９４０の長辺方向の向きとほぼ同じ向きに、重力加速度Ｇを受ける。したがって、スマートフォン９００は、ディスプレイ９４０の長辺方向を上下方向として画面表示を行う。即ち、スマートフォン９００は、図５に示すような状態から図６に示すような状態にユーザの体勢が変化した場合、ディスプレイ９４０の短辺方向Ｈ２を上下方向とした画面表示から、ディスプレイ９４０の長辺方向Ｈ３を上下方向とした画面表示に画面表示の向きを切替えることになる。しかしながら、この例においては、ユーザは、顔の頭頂部から首部の上下方向と同じ向きＥ１をディスプレイ９４０の上下方向として画面表示されている方が画面表示されている情報を視認し易い。一方で、その方向とは角度が９０°異なる長編方向Ｈ３を上下方向として画面表示されている情報は視認し難い。【０００７】
図７は、スマートフォン９００の長方形のディスプレイ９４０の短辺方向を上下方向として視認しようとして、ユーザＵがスマートフォン９００を机Ｄの上に置いた様子を示している。この例の場合、スマートフォン９００は、机Ｄに置かれる直前に、ディスプレイ９４０の短辺方向の向きとほぼ同じ向きに重力加速度Ｇを受ける。したがって、スマートフォン９００は、机Ｄに置かれる直前に、ディスプレイ９４０の短辺方向Ｈ４を上下方向として画面表示を行う。そして、スマートフォン９００は、机Ｄに置かれた後、ディスプレイ９４０の表側から裏側へ向かう向きに、重力加速度Ｇを受ける。したがって、スマートフォン９００は、ディスプレイ９４０の短辺又は長辺方向と同じ向きに重力加速度Ｇがかからなくなるため、机Ｄに置かれる前と変わらず、ディスプレイ９４０の短辺方向Ｈ４を上下方向として画面表示を行う。【０００８】
図８は、スマートフォン９００の長方形のディスプレイ９４０の長辺方向を上下方向として視認しようとして、ユーザＵがスマートフォン９００を机Ｄの上に置いている様子を示している。この状態の場合、スマートフォン９００は、ディスプレイ９４０の表側から裏側へ向かう向きに重力加速度Ｇを受ける。したがって、スマートフォン９００は、図７に示すような状態から図８に示すような状態に、机Ｄの上に置かれたまま向きを変えられても、向きが変えられる前と同じく、ディスプレイ９４０の短辺方向Ｈ４を上下方向として画面表示を行う。しかしながら、この例においては、ユーザは、顔の頭頂部から首部の上下方向と同じ向きＥ２をディスプレイ９４０の上下方向として画面表示されている方が画面表示されている情報を視認し易い。一方で、その方向とは角度が９０°異なる長編方向Ｈ４を上下方向として画面表示されている情報は視認し難い。【０００９】
特許文献１、及び特許文献２は、上述したような問題を解決し得る携帯端末装置を開示している。特許文献１に記載の携帯端末装置は、ユーザを撮像し画像情報を取得する。携帯端末装置は、取得された画像情報からユーザの顔面構造を認識して顔情報を取得する。携帯端末装置は、取得されたユーザの顔情報に基づいて、利用中のユーザに対する携帯端末装置の筐体の向きを検知する。携帯端末装置は、検知された筐体の向きに基づいて、表示部への映像コンテンツの表示を切替える。【００１０】
このように、特許文献１に記載の携帯端末装置は、利用中のユーザに対する携帯端末装置の向きを適切に把握し、通知操作を行うことなく画面表示の切り替えができ、リアルタイムに表示されている映像コンテンツの視聴中に任意に画面表示を切り替えることができる。【００１１】
特許文献２に記載の画面切替装置は、顔を撮影する。画面切替装置は、撮影された顔の画像を長方形の表示部に表示する。画面切替装置は、表示部の横辺又は縦辺の一方を表示方向の基準とする軸を定める。画面切替装置は、表示部に表示される顔の認証を行う。画面切替装置は、認証された顔が表示される表示部の軸が向く方向に基づき定めた画面に切り替える。画面切替装置は、切り替えた画面にテレビジョン映像及びテレビジョン電話映像を含む表示を行う。【００１２】
このように、特許文献２に記載の画面切替装置は、表示部とユーザの顔の相対位置を検出することにより、表示部が設けられている携帯電話機の状態によらず、画面切替が可能になる。この画面切替装置は、適切な画面表示を行うことで、ユーザの利便性が向上することが期待される。
【先行技術文献】
【特許文献】
【００１３】
【特許文献１】日本国特開２００９−１３０８１６号公報
【特許文献２】日本国特開２００９−１７１２５９号公報
【発明の概要】
【発明が解決しようとする課題】
【００１４】
特許文献１、２に記載の技術は、カメラによって撮影されたユーザの顔の向きに応じて、ディスプレイに表示されている画面表示の向きを切替える技術である。しかしながら、特許文献１、２に記載の技術を用いれば、画面表示の向きをユーザが視認し易い向きに切替えることはできるが、カメラを常に起動していなければならず、消費電力が大きくなってしまう。そのため、特許文献１、２に記載の技術は、バッテリーによる長時間の駆動が求められるスマートフォン等の携帯情報端末に適しているとは言い難い。
【課題を解決するための手段】
【００１５】
本発明の第１の実施態様にかかる情報表示装置は、姿勢検出部が検出した姿勢の状態の変化量を算出する姿勢変化量算出部と、前記姿勢変化量算出部が算出した情報表示装置の姿勢の状態の変化量がしきい値以上であるか否かを判定する姿勢変化量判定部と、情報表示装置の姿勢の状態の変化量がしきい値以上であると前記姿勢変化量判定部が判定した場合に、前記撮像部を起動させる撮像部制御部と、前記撮像部が撮像して得られた画像に写っている人の顔を検出する顔検出部と、前記顔検出部が検出した人の顔の上下の向きを特定する顔方向特定部と、表示部に表示されている画面表示の上下の向きと、前記顔方向特定部が特定した人の顔の上下の向きとが同じ向きであるか否かを判定する表示方向判定部と、前記表示部に表示されている画面表示の上下の向きと、人の顔の上下の向きとが同じ向きではないと前記表示方向判定部が判定した場合に、表示部に表示されている画面表示の上下の向きを、人の顔の上下の向きと同じ向きに切替える表示方向切替部とを備える。【００１６】
本発明の第２の実施態様にかかる制御方法は、姿勢検出部が検出した姿勢の状態の変化量を算出する段階と、前記算出する段階において算出された情報表示装置の姿勢の状態の変化量がしきい値以上であるか否かを判定する段階と、情報表示装置の姿勢の状態の変化量がしきい値以上であると前記姿勢の変化量を判定する段階において判定された場合に、前記撮像部を起動させる段階と、前記撮像部が撮像して得られた画像に写っている人の顔を検出する段階と、前記検出する段階において検出された人の顔の上下の向きを特定する段階と、表示部に表示されている画面表示の上下の向きと、前記特定する段階において特定された人の顔の上下の向きとが同じ向きであるか否かを判定する段階と、前記表示部に表示されている画面表示の上下の向きと、人の顔の上下の向きとが同じ向きではないと前記表示方向を判定する段階において判定された場合に、表示部に表示されている画面表示の上下の向きを、人の顔の上下の向きと同じ向きに切替える段階とを備える。【００１７】
本発明の第３の実施態様にかかるプログラムは、情報表示装置を、姿勢検出部が検出した姿勢の状態の変化量を算出する姿勢変化量算出部と、前記姿勢変化量算出部が算出した情報表示装置の姿勢の状態の変化量がしきい値以上であるか否かを判定する姿勢変化量判定部と、情報表示装置の姿勢の状態の変化量がしきい値以上であると前記姿勢変化量判定部が判定した場合に、前記撮像部を起動させる撮像部制御部と、前記撮像部が撮像して得られた画像に写っている人の顔を検出する顔検出部と、前記顔検出部が検出した人の顔の上下の向きを特定する顔方向特定部と、表示部に表示されている画面表示の上下の向きと、前記顔方向特定部が特定した人の顔の上下の向きとが同じ向きであるか否かを判定する表示方向判定部と、前記表示部に表示されている画面表示の上下の向きと、人の顔の上下の向きとが同じ向きではないと前記表示方向判定部が判定した場合に、表示部に表示されている画面表示の上下の向きを、人の顔の上下の向きと同じ向きに切替える表示方向切替部として機能させる。【００１８】
上記のように発明の概要は、本発明の必要な特徴の全てを列挙したものではなく、これらの特徴群のサブコンビネーションもまた、発明となり得る。
【発明の効果】
【００１９】
以上の説明から明らかなように、この発明は、人の顔の上下の向きに応じて画面表示の向きを切替える機能を持った情報表示装置の消費電力を、関連技術の技術を利用した場合と比較して、大幅に低減させることができる。
【図面の簡単な説明】
【００２０】
【図１】本発明の実施形態にかかるスマートフォンのハードウェア構成の一例を示す図である。
【図２】図１に示すＣＰＵのブロック構成の一例を示す図である。
【図３】図１に示すＣＰＵの動作フローの一例を示す図である。
【図４】関連技術のスマートフォンの使用状態の一例を示す図である。
【図５】関連技術のスマートフォンの使用状態の一例を示す図である。
【図６】関連技術のスマートフォンの使用状態の一例を示す図である。
【図７】関連技術のスマートフォンの使用状態の一例を示す図である。
【図８】関連技術のスマートフォンの使用状態の一例を示す図である。
【発明を実施するための形態】
【００２１】
以下、発明の実施の形態を説明するが、以下の実施形態は、請求の範囲にかかる発明を限定しない。また、実施形態の中で説明されている特徴の組み合わせの全てが発明の解決手段に必須であるとは限らない。
【００２２】
図１は、本発明の実施形態にかかるスマートフォン１００のハードウェア構成の一例を示す。スマートフォン１００は、個人用の携帯コンピュータの機能を併せ持った携帯電話である。より具体的に説明すると、スマートフォン１００は、関連技術の携帯情報端末に携帯電話、通信機能を統合した装置である。特に、本実施形態のスマートフォン１００は、人の顔の向きに応じて、情報の画面表示の向きを切替えて表示する機能を有する。スマートフォン１００は、この実施形態における「情報表示装置」の一例であってよい。
【００２３】
スマートフォン１００は、ＣＰＵ（Ｃｅｎｔｒａｌ  Ｐｒｏｃｅｓｓｉｎｇ  Ｕｎｉｔ）１１０、デジタルカメラ１３０、加速度センサー１４０、地磁気センサー１５０、メモリ１６０、及びタッチスクリーン１７０を備える。
【００２４】
ＣＰＵ１１０は、スマートフォン１００を構成する部品の一つである。ＣＰＵ１１０は、デジタルカメラ１３０、加速度センサー１４０、地磁気センサー１５０、メモリ１６０、及びタッチスクリーン１７０の制御やデータの計算、加工を行う装置である。より具体的に説明すると、ＣＰＵ１１０は、メモリ１６０に記憶されたプログラムを実行する装置である。ＣＰＵ１１０は、デジタルカメラ１３０、加速度センサー１４０、地磁気センサー１５０、メモリ１６０、及びタッチスクリーン１７０からデータを受け取り、そのデータを演算、加工した上で、メモリ１６０やタッチスクリーン１７０に出力する。ＣＰＵ１１０は、この実施形態における「制御部」の一例であってよい。
【００２５】
デジタルカメラ１３０は、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光に反応する半導体素子を使って映像を電気信号に変換し、デジタルデータとしてメモリ１６０に記憶する装置である。なおまた、デジタルカメラ１３０は、この実施形態における「撮像部」の一例であってよい。
【００２６】
加速度センサー１４０は、重力加速度の向きを検知し、スマートフォン１００の垂直方向の回転角度を計測するために利用する装置である。地磁気センサー１５０は、地磁気の向きを検知し、スマートフォン１００の水平方向の回転角度を算出するために利用する装置である。加速度センサー１４０、及び地磁気センサー１５０は、この実施形態における「姿勢検出部」の一例であってよい。
【００２７】
メモリ１６０は、スマートフォン１００内でデータやプログラムを記憶する装置である。タッチスクリーン１７０は、この実施形態における「表示部」の一例であってよい。
【００２８】
タッチスクリーン１７０は、指や専用のペンで画面に触れることで、スマートフォン１００の操作を行うことができるディスプレイである。
【００２９】
本実施形態においては、説明が煩雑になることを防ぐことを目的として、スマートフォン１００が一のＣＰＵ１１０を備える構成について説明する。しかしながら、スマートフォン１００は、複数のＣＰＵ１１０を備えてよい。
【００３０】
図２は、ＣＰＵ１１０のブロック構成の一例を示す。ＣＰＵ１１０は、姿勢変化量算出部１１３、姿勢変化量判定部１１４、撮像部制御部１１５、顔検出部１１７、顔方向特定部１１８、表示方向判定部１１９、及び表示方向切替部１２０を有する。以下、各構成要素の機能及び動作を説明する。
【００３１】
姿勢変化量算出部１１３は、重力加速度の向きの変化量を算出する。また、姿勢変化量算出部１１３は、地磁気の向きの変化量を算出する。例えば、姿勢変化量算出部１１３は、加速度センサー１４０から入力を経時的に受け付けたデータに基づいて、重力加速度の向きの変化量を算出する。また、例えば、姿勢変化量算出部１１３は、地磁気センサー１５０から入力を経時的に受け付けたデータに基づいて、地磁気の向きの変化量を算出する。重力加速度の向き、及び地磁気の向きは、この実施形態における「姿勢の状態」の一例であってよい。
【００３２】
姿勢変化量判定部１１４は、重力加速度の向きの変化量がしきい値以上であるか否かを判定する。また、姿勢変化量判定部１１４は、地磁気の向きの変化量がしきい値以上であるか否かを判定する。例えば、姿勢変化量判定部１１４は、姿勢変化量算出部１１３が算出した重力加速度の向きの変化量がしきい値以上であるか否かを判定する。また、例えば、姿勢変化量判定部１１４は、姿勢変化量算出部１１３が算出した地磁気の向きの変化量がしきい値であるか否かを判定する。また、例えば、姿勢変化量判定部１１４は、姿勢変化量算出部１１３が算出した重力加速度の向きの変化量がしきい値以上となった後に、その変化量の推移が所定の範囲以下となった場合に、姿勢変化量算出部１１３が算出した重力加速度の向きの変化量がしきい値以上であると判定する。また、例えば、姿勢変化量判定部１１４は、姿勢変化量算出部１１３が算出した地磁気の向きの変化量がしきい値以上となった後に、その変化量の推移が所定の範囲以下となった場合に、姿勢変化量算出部１１３が算出した地磁気の向きの変化量がしきい値以上であると判定する。
【００３３】
撮像部制御部１１５は、重力加速度の向きが変化した場合に、デジタルカメラ１３０を起動させる。また、撮像部制御部１１５は、地磁気の向きが変化した場合に、デジタルカメラ１３０を起動させる。例えば、撮像部制御部１１５は、重力加速度の向きの変化量がしきい値以上であると姿勢変化量判定部１１４が判定した場合に、デジタルカメラ１３０を起動させる。また、例えば、撮像部制御部１１５は、地磁気の向きの変化量がしきい値以上であると姿勢変化量判定部１１４が判定した場合に、デジタルカメラ１３０を起動させる。
【００３４】
顔検出部１１７は、デジタルカメラ１３０が撮像して得られた画像に写っている人の顔を検出する。例えば、顔検出部１１７は、デジタルカメラ１３０から入力を受け付けた撮像データによって示される画像に写っている人の顔を検出する。
【００３５】
顔方向特定部１１８は、人の顔の上下の向きを特定する。例えば、顔方向特定部１１８は、顔検出部１１７が検出した人の顔の上下の向きを特定する。ここで、人の顔の上下の向きとは、頭頂部を上、顎部を下としたときの上下の向きである。したがって、図６に示すように、人が寝転がっている状態においても、人の顔の上下の向きは、頭頂部を上、顎部を下としたときの上下の向きと特定される。
【００３６】
表示方向判定部１１９は、タッチスクリーン１７０に表示されている画面表示の上下の向きと、人の顔の上下の向きとが同じ向きであるか否かを判定する。言い換えると、表示方向判定部１１９は、タッチスクリーン１７０に表示されている画面表示の上下の向きと、人の顔の上下の向きとが異なっているか否かを判定する。例えば、表示方向判定部１１９は、タッチスクリーン１７０に表示されている画面表示の上下の向きと、顔方向特定部１１８が特定した人の顔の上下の向きとが同じ向きであるか否かを判定する。
【００３７】
表示方向切替部１２０は、タッチスクリーン１７０に表示されている画面表示の上下の向きを、人の顔の上下の向きと同じ向きに切替える。例えば、表示方向切替部１２０は、タッチスクリーン１７０に表示されている画面表示の上下の向きと、人の顔の上下の向きとが同じ向きではないと表示方向判定部１１９が判定した場合に、タッチスクリーン１７０に表示されている画面表示の上下の向きを、人の顔の上下の向きと同じ向きに切替える。言い換えると、表示方向切替部１２０は、タッチスクリーン１７０に表示されている画面表示の上下の向きと、人の顔の上下の向きとが異なっていると表示方向判定部１１９が判定した場合に、タッチスクリーン１７０に表示されている画面表示の上下の向きを、人の顔の上下の向きと同じ向きに切替える。
【００３８】
図３は、ＣＰＵ１１０の動作フローの一例を示す。この動作フローは、図１及び図２を共に参照する。
【００３９】
加速度センサー１４０は、重力加速度の向きを示すデータを、ＣＰＵ１１０へ経時的に出力する。また、地磁気センサー１５０は、地磁気の向きを示すデータを、ＣＰＵ１１０へ経時的に出力する。
【００４０】
ＣＰＵ１１０の姿勢変化量算出部１１３は、重力加速度の向きを示すデータを、加速度センサー１４０から順次受け取ると（Ｓ１０１）、そのデータに基づいて、重力加速度の向きの変化量を算出する（Ｓ１０２）。そして、姿勢変化量算出部１１３は、算出した重力加速度の向きの変化量を示すデータを、姿勢変化量判定部１１４へ送る。
【００４１】
同様に、姿勢変化量算出部１１３は、地磁気の向きを示すデータを、地磁気センサー１５０から順次受け取ると（Ｓ１０１）、そのデータに基づいて、地磁気の向きの変化量を算出する（Ｓ１０２）。そして、姿勢変化量算出部１１３は、算出した地磁気の向きの変化量を示すデータを、姿勢変化量判定部１１４へ送る。
【００４２】
ＣＰＵ１１０の姿勢変化量判定部１１４は、重力加速度の向きの変化量を示すデータを、姿勢変化量算出部１１３から受け取ると、その重力加速度の向きの変化量がしきい値以上であるか否かを判定する（Ｓ１０３）。その場合、姿勢変化量判定部１１４は、姿勢変化量算出部１１３が算出した重力加速度の向きの変化量がしきい値以上となった後に、その変化量の推移が所定の範囲以下となった場合に、姿勢変化量算出部１１３が算出した重力加速度の向きの変化量がしきい値以上変化したと判定するようにしてもよい。
【００４３】
同様に、姿勢変化量判定部１１４は、地磁気の向きの変化量を示すデータを、姿勢変化量算出部１１３から受け取ると、その地磁気の向きの変化量がしきい値以上であるか否かを判定する（Ｓ１０３）。その場合、姿勢変化量判定部１１４は、姿勢変化量算出部１１３が算出した地磁気の向きの変化量がしきい値以上となった後に、その変化量の推移が所定の範囲以下となった場合に、姿勢変化量算出部１１３が算出した地磁気の向きの変化量がしきい値以上であると判定するようにしてもよい。
【００４４】
重力加速度の向き、及び地磁気の向きの変化量がしきい値以上ではないと姿勢変化量判定部１１４が判定した場合（Ｓ１０３：Ｎｏ）、ＣＰＵ１１０は、ステップＳ１０１からステップＳ１０３の処理を繰り返す。
【００４５】
一方、重力加速度の向きの変化量がしきい値以上であると姿勢変化量判定部１１４が判定した場合（Ｓ１０３：Ｙｅｓ）、ＣＰＵ１１０の撮像部制御部１１５は、デジタルカメラ１３０を起動させる（Ｓ１０４）。同様に、地磁気の向きの変化量がしきい値以上であると姿勢変化量判定部１１４が判定した場合（Ｓ１０３：Ｙｅｓ）、ＣＰＵ１１０の撮像部制御部１１５は、デジタルカメラ１３０を起動させる（Ｓ１０４）。
【００４６】
このようにして、デジタルカメラ１３０は、起動して、ＣＣＤやＣＭＯＳ等の撮像素子によって撮像されることによって得られた画像データを、ＣＰＵ１１０へ出力する。
【００４７】
ＣＰＵ１１０の顔検出部１１７は、撮像データをデジタルカメラ１３０から受け取ると（Ｓ１０５）、その撮像データによって示される画像に写っている人の顔を検出する（Ｓ１０６）。顔検出部１１７は、画像に写っている人の顔を検出した場合（Ｓ１０６：Ｙｅｓ）、検出した人の顔の画像における位置を示すデータを、顔方向特定部１１８へ送る。一方、顔検出部１１７は、画像に写っている人の顔を検出しなかった場合（Ｓ１０６：Ｎｏ）、何ら処理を行わない。
【００４８】
そして、ＣＰＵ１１０の顔方向特定部１１８は、検出した人の顔の画像における位置を示すデータを顔検出部１１７から受け取ると、人の顔の上下の向きを特定する（Ｓ１０７）。そして、顔方向特定部１１８は、特定した人の顔の上下の向きを示すデータを、表示方向判定部１１９へ送る。
【００４９】
ＣＰＵ１１０の表示方向判定部１１９は、人の顔の上下の向きを示すデータを顔方向特定部１１８から受け取ると、そのデータによって示される人の顔の上下の向きと、タッチスクリーン１７０に表示されている画面表示の上下の向きとが同じ向きであるか否かを判定する（Ｓ１０８）。そして、表示方向判定部１１９は、その判定結果を示すデータを、表示方向切替部１２０へ送る。
【００５０】
ＣＰＵ１１０の表示方向切替部１２０は、判定結果を示すデータを表示方向判定部１１９から受け取る。表示方向切替部１２０は、そのデータによって示される判定結果が、人の顔の上下の向きと、タッチスクリーン１７０に表示されている画面表示の上下の向きとが同じ向きではないとする判定結果であった場合（Ｓ１０８：Ｎｏ）、タッチスクリーン１７０に表示されている画面表示の上下の向きを、人の顔の上下の向きと同じ向きに切替える（Ｓ１０９）。一方、表示方向切替部１２０は、表示方向判定部１１９から受け取ったデータによって示される判定結果が、人の顔の上下の向きと、タッチスクリーン１７０に表示されている画面表示の上下の向きとが同じ向きであるとする判定結果であった場合（Ｓ１０８：Ｙｅｓ）、何ら処理を行わない。
【００５１】
以上説明したように、スマートフォン１００は、スマートフォン１００本体の水平方向や垂直方向の回転角度がしきい値を超えて変化した後に、デジタルカメラ１３０を起動して撮像を開始する。そして、スマートフォン１００は、撮像して得られる画像に写っている人の顔の上下の向きと、タッチスクリーン１７０の画面表示の上下の向きとが同じ向きになるように、画面表示の向きを切替える。
【００５２】
このように、この実施形態は、人の顔の上下の向きに応じて画面表示の向きを切替える機能を持った情報表示装置の消費電力を、関連技術の技術を利用した場合と比較して、大幅に低減させることができる。
【００５３】
スマートフォン１００に提供されるプログラムは、例えば、ネットワークを介してメモリ１６０にインストールされ、ＣＰＵ１１０において実行されてもよい。メモリ１６０にインストールされて実行されるプログラムは、ＣＰＵ１１０を、姿勢変化量算出部１１３、姿勢変化量判定部１１４、撮像部制御部１１５、顔検出部１１７、顔方向特定部１１８、表示方向判定部１１９、及び表示方向切替部１２０として機能させる。
【００５４】
スマートフォン１００に提供されるプログラムは、専用通信ネットワークやインターネットに接続されたサーバシステムに設けたハードディスク又はＲＡＭ（Ｒａｎｄｏｍ  Ａｃｃｅｓｓ  Ｍｅｍｏｒｙ）等の記憶装置から、ネットワークを介してスマートフォン１００に提供されてもよい。
【００５５】
スマートフォン１００に提供されるプログラムは、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）やＰＤ（Ｐｈｅｓｅ−ｃｈａｎｇｅ  Ｄｕａｌ）等の光学記録媒体、テープ媒体、ＩＣ（Ｉｎｔｅｇｒａｔｅｄ  Ｃｉｒｃｕｉｔ）カード等の半導体メモリ等の外部の記憶媒体に格納されてもよい。
【００５６】
上述した実施形態は、情報表示装置がスマートフォン１００である場合について説明したが、この場合に限られない。情報表示装置は携帯型ゲーム用装置やノートパソコン等であってもよい。
【００５７】
上述した実施形態は、表示装置がタッチスクリーン１７０である場合について説明したが、この場合に限られない。表示装置は液晶ディスプレイ等であってもよい。
【００５８】
上述した実施形態は、姿勢変化量算出部１１３、姿勢変化量判定部１１４、撮像部制御部１１５、顔検出部１１７、顔方向特定部１１８、表示方向判定部１１９、及び表示方向切替部１２０としてＣＰＵ１１０が機能する例について説明したが、この場合に限られない。ＧＰＵ（Ｇｒａｐｈｉｃｓ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）がこれら各処理部のうち、一部又は全部の機能を有するようにしてもよい。
【００５９】
以上、実施形態を参照して本願発明を説明したが、本願発明は上記実施形態に限定されない。本願発明の構成や詳細には、本願発明のスコープ内で当業者が理解し得る様々な変更をすることができる。
【００６０】
この出願は、２０１１年４月２０日に出願された日本出願特願２０１１−０９３８１１を基礎とする優先権を主張し、その開示の全てをここに取り込む。
【産業上の利用可能性】
【００６１】
本発明は、情報表示装置、その情報表示装置を制御する制御方法、並びにその情報表示装置用のプログラムに適用できる。
【符号の説明】
【００６２】
１００  スマートフォン
１１０  ＣＰＵ
１１３  姿勢変化量算出部
１１４  姿勢変化量判定部
１１５  撮像部制御部
１１７  顔検出部
１１８  顔方向特定部
１１９  表示方向判定部
１２０  表示方向切替部
１３０  デジタルカメラ
１４０  加速度センサー
１５０  地磁気センサー
１６０  メモリ
１７０  タッチスクリーン
【図１】
2012144526.tif 000003
【図２】
2012144526.tif 000004
【図３】
2012144526.tif 000005
【図４】
2012144526.tif 000006
【図５】
2012144526.tif 000007
【図６】
2012144526.tif 000008
【図７】
2012144526.tif 000009
【図８】
2012144526.tif 000010
【国際調査報告】
2012144526.tif 000011
2012144526.tif 000012
2012144526.tif 000013